(57)【要約】      （修正有）【課題】  無線フレームのペイロードにＬＡＮデータを多重して伝送することが可能な無線伝送装置において、限られた無線伝送容量を有効に活用する無線伝送装置及び方法の提供。【解決手段】  外部から入力されるＰＤＨデータ列に入力障害が発生したことを検出する手段（１１１〜１１ｎ）を備え、障害を検出した場合、該当する無線フレームのペイロード領域を、ＬＡＮデータの伝送領域として利用することにより、限られた無線伝送容量を有効に活用する。また、使用するチャネルのＰＤＨデータ信号列とＬＡＮデータの無線フレームペイロードへのアサイン状況を示すペイロードアサイン情報を無線フレームに多重して伝送する。【選択図】  図１
2006203439.tif 000002
【特許請求の範囲】
【請求項１】
複数の回線データ信号列を無線フレームにスタッフ多重して伝送する無線伝送装置であって、
ＬＡＮ（Local Area Network）インタフェースの終端機能を備え、
前記回線データ信号列の伝送領域として割り当てられている無線フレームの少なくともペイロードにＬＡＮデータを多重して伝送すると、
使用するチャネルの回線データ信号列の入力に障害が発生した場合に、該障害の発生した回線データ信号列入力が多重されているペイロードを、ＬＡＮデータの伝送領域に切り替える手段と、
を備えている、ことを特徴とする無線伝送装置。
【請求項２】
前記回線データ信号列は、ＰＤＨ（Plesiochronous Digital Hierarchy）データ信号列である、ことを特徴とする請求項１記載の無線伝送装置。
【請求項３】
使用するチャネルのＰＤＨデータ信号列とＬＡＮデータの無線フレームペイロードへのアサイン状況を示すペイロードアサイン情報を無線フレームに多重して伝送する手段をさらに備えている、ことを特徴とする請求項２記載の無線伝送装置。
【請求項４】
前記無線伝送装置と対向し前記ペイロードアサイン情報を受信する無線伝送装置にて、ＰＤＨデータ信号列とＬＡＮデータのアサイン状況を判断し、自動的にＰＤＨデータ列とＬＡＮデータの抽出を可能としている、ことを特徴とする請求項３記載の無線伝送装置。
【請求項５】
前記無線伝送装置と対向する無線伝送装置で使用しないチャネルのＰＤＨデータ信号列出力に対して自動的にＡＩＳ（Alarm Indication Signal）多重制御を行い、不要なデータの送出を防ぐ、ことを特徴とする請求項３記載の無線伝送装置。
【請求項６】
使用するチャネルのＰＤＨデータ信号列入力に対し入力障害を検出した場合に、対向側の無線伝送装置において、前記入力障害の発生したチャネルのＰＤＨデータ信号列の出力に対して、自動的にＡＩＳ（Alarm Indication Signal）多重制御を行うことにより、不要なデータの送出を防ぐ、ことを特徴とする請求項３記載の無線伝送装置。
【請求項７】
障害チャネルのＰＤＨデータ入力の障害が回復した場合、無線フレームペイロードにアサインされていたＬＡＮデータを、該チャネルのＰＤＨデータ列に切り替え、ペイロードアサイン情報を更新することにより、前記チャネルのＰＤＨデータ列の多重を再開するように制御する手段を備えている、ことを特徴とする請求項２記載の無線伝送装置。
【請求項８】
外部から入力される第１乃至第ｎ（ただし、ｎは１以上の整数）のＰＤＨ（Plesiochronous Digital Hierarchy）データ列に対して、スタッフ同期処理を行い、スタッフ処理後のＰＤＨデータ列をそれぞれ出力する第１乃至第ｎのスタッフ回路と、
第１乃至第ｎの入力ＰＤＨデータ列の入力障害をそれぞれ検出し、入力障害情報を出力する第１乃至第ｎの障害検出回路と、
外部から入力されるペイロードアサイン設定信号と、前記第１乃至第ｎの障害検出回路からのＰＤＨデータ列の入力障害情報に従い、無線フレームのペイロードに対するＰＤＨデータ列とＬＡＮ（Local Area Network）データの割り当てを決定し、ＬＡＮデータ読み出し制御信号と、ペイロードアサイン情報を出力する送信帯域制御回路と、
ＬＡＮ伝送路から入力されるＬＡＮ受信データをパケット単位でフレームにカプセル化し受信バッファに出力するＬＡＮ終端回路と、
前記送信帯域制御回路から入力されるペイロードアサイン情報に応じて、前記第１乃至第ｎのスタッフ同期回路から入力されるスタッフ同期処理後のＰＤＨデータ列と、前記送信帯域制御回路からのＬＡＮデータ読み出し制御信号に従い前記受信バッファから読み出されたＬＡＮデータとを無線フレームに多重し、さらにペイロードアサイン情報を無線フレームに多重して無線フレームデータを出力する無線フレームマッピング回路と、
前記無線フレームマッピング回路から出力される無線フレームデータを受けて変調し、無線伝送路を介して対向の無線伝送装置に伝送する無線送信回路と、
を備えている、ことを特徴とする無線伝送装置。
【請求項９】
無線伝送路を介して入力された無線フレームデータを受け取って復調し、無線フレーム同期確立後、該復調した信号を出力する無線受信回路と、
前記無線受信回路から出力される、無線フレームに多重されているペイロードアサイン情報に基づき、ＬＡＮ(Local Area Network)データのデマッピング制御信号と、第１乃至第ｎのＰＤＨ（Plesiochronous Digital Hierarchy）データ列に対する第１乃至第ｎのＡＩＳ（Alarm Indication Signal）多重制御信号を出力する受信帯域制御回路と、
前記無線受信回路の出力を受け、無線フレームに多重されているペイロードアサイン情報に従い、各ペイロードに多重されているＰＤＨデータ列を抽出して、第１乃至第ｎのデスタッフ回路へ出力し、ＬＡＮデータのデマッピング制御信号に従い、ＬＡＮデータが多重されているペイロードからＬＡＮデータを抽出して出力する無線フレームデマッピング回路と、
前記無線フレームデマッピング回路において無線フレームのペイロードから抽出されたＰＤＨデータ列に対してデスタッフ処理を行い、出力する第１乃至第ｎのデスタッフ回路と、
前記受信帯域制御回路から出力される第１乃至第ｎのＡＩＳ多重制御信号に従い、使用していないチャネル及び障害の発生しているチャネルのＰＤＨデータ列に対して、ＡＩＳ多重制御を行って、第１乃至第ｎのＰＤＨデータ列を出力する第１乃至第ｎのＡＩＳ多重回路と、
前記無線フレームデマッピング回路から出力されるカプセル化されたＬＡＮデータをパケット単位でバッファに蓄える送信バッファと、
前記送信バッファのＬＡＮデータをＬＡＮ伝送路網に出力可能なＬＡＮ送信信号に変換してＬＡＮ伝送路へ出力するＬＡＮ終端回路と、
を備えている、ことを特徴とする無線伝送装置。
【請求項１０】
請求項８記載の無線伝送装置と、
前記無線伝送装置に対向する無線伝送装置として、請求項９記載の無線伝送装置を備えている、ことを特徴とする無線伝送システム。
【請求項１１】
複数の回線データ信号列を無線フレームにスタッフ多重して伝送し、ＬＡＮ（Local Area Network）インタフェースの終端機能を備えた無線伝送装置での伝送方法であって、
前記回線データ信号列の伝送領域として割り当てられている無線フレームの少なくともペイロードにＬＡＮデータを多重して伝送する工程と、
使用するチャネルの回線データ信号列入力に障害が発生した場合に、障害の発生した回線データ信号列入力が多重されているペイロードをＬＡＮデータの伝送領域に切り替える工程と、
を含む、ことを特徴とする無線伝送方法。
【請求項１２】
前記回線データ信号列は、ＰＤＨ（Plesiochronous Digital Hierarchy）データ信号列である、ことを特徴とする請求項１１記載の無線伝送方法。
【請求項１３】
使用するチャネルのＰＤＨデータ信号列とＬＡＮデータの無線フレームペイロードへのアサイン状況を示すペイロードアサイン情報を無線フレームに多重して伝送する、ことを特徴とする請求項１２記載の無線伝送方法。
【請求項１４】
前記無線伝送装置と対向し前記ペイロードアサイン情報を受信する無線伝送装置にて、ＰＤＨデータ信号列とＬＡＮデータのアサイン状況を判断し、自動的にＰＤＨデータ列とＬＡＮデータの抽出を可能としている、ことを特徴とする請求項１３記載の無線伝送方法。
【請求項１５】
前記無線伝送装置と対向する無線伝送装置で使用しないチャネルのＰＤＨデータ信号列出力に対して、自動的にＡＩＳ（Alarm Indication Signal）多重制御を行って不要なデータの送出を防ぐ、ことを特徴とする請求項１３記載の無線伝送方法。
【請求項１６】
使用するチャネルのＰＤＨデータ信号列入力に対し入力障害を検出した場合に、対向側の無線伝送装置において、前記入力障害の発生したチャネルのＰＤＨデータ信号列出力に対して、自動的にＡＩＳ（Alarm indication Signal）多重制御を行うことにより、不要なデータの送出を防ぐ、ことを特徴とする請求項１３記載の無線伝送方法。
【請求項１７】
障害チャネルのＰＤＨデータ入力の障害が回復した場合、無線フレームペイロードにアサインされていたＬＡＮデータを、該チャネルのＰＤＨデータ列に切り替え、ペイロードアサイン情報を更新することにより、前記チャネルのＰＤＨデータ列の多重を再開するように制御する工程を含む、ことを特徴とする請求項１２記載の無線伝送方法。
【発明の詳細な説明】
【技術分野】
【０００１】
本発明は、無線伝送装置及び方法に関し、特に、回線データ信号列とＬＡＮデータを伝送する装置及び方法に関する。
【背景技術】
【０００２】
従来の無線伝送装置では、複数のＰＤＨ（Plesiochronous Digital Hierarchy）データ信号列を無線フレームに多重して伝送している。
【０００３】
ＬＡＮ（Local Area Network）網の普及に伴い、ＬＡＮ網と接続可能なインタフェースを備え、ＰＤＨ(Plesiochronous Digital Hierarchy）データ列の伝送領域を利用してＬＡＮデータの伝送を行う手法がとられるようになっている。
【０００４】
ＳＤＨ（Synchronous Digital Hierarchy）伝送装置において、ＳＴＭ−１フレーム構造を用いて、ＬＡＮデータの伝送を行うデータ通信方式が知られている（後記特許文献１参照）。特許文献１には、ＳＴＭ−１フレーム構造に、ＰＤＨデータ信号、及びＬＡＮデータ信号を多重して伝送するデータ通信方式が開示されている。
【０００５】
図３は、特許文献１に記載されている従来の伝送装置の一例を示す図である。図３において、３０１は基幹伝送路であり、ＳＴＭ−１のデータ伝送を行う。３０２は共通部であり、入力データのＳＴＭ−１フレームへの多重と抽出を行う。３０３はバーストデータ系ラインセット部であり、ＰＣ−ＬＡＮ５から入力されるＬＡＮデータ等バーストデータをＳＴＭ−１フレームにあらかじめ割り当てられた帯域（５０Ｍｂ／ｓ、１００Ｍｂ／ｓ等）領域に多重して伝送する。３０６はデジタルハイアラーキの低次群／高次群のデータ系である。低次群のデータ３０６は、スタッフ同期回路３０４でＳＴＭ−１フレーム周波数にスタッフ同期化され、ＳＴＭ−１フレームに多重される。
【０００６】
これにより、ＳＴＭ−１フレームを介して低次群のＰＤＨデータ列とＬＡＮデータの同時伝送を行っている。
【０００７】
【特許文献１】特開平０５−３１６１１９号公報（第２頁、第１図）
【発明の開示】
【発明が解決しようとする課題】
【０００８】
しかしながら、この従来技術は、次のような問題点を有している。
【０００９】
第１の問題点は、ＳＴＭ−１フレームで伝送を行っており、回路が複雑、且つ、大規模になる、ということである。
【００１０】
その理由は、低次群データから高次群データへ多重する度に、スタッフ同期と、ポインタ処理を行う必要がある、ためである。
【００１１】
第２の問題点は、低次群のＰＤＨデータ列に入力障害が発生した場合、ＰＤＨデータ列が多重されているＳＴＭ−１フレームの伝送領域は無駄な伝送領域になる、ということである。
【００１２】
その理由は、外部から入力されるＰＤＨデータ列に対して、入力障害発生の有無に関わらずＳＴＭ−１フレームには、ＰＤＨデータ列の伝送領域が確保されており、ＰＤＨデータ列入力に入力障害が発生した場合、対向側の伝送装置では異常なＰＤＨデータ列が外部へ出力されるのを防ぐために、ＡＩＳ（Alarm Indication Signal；警報表示信号）出力制御を行うことにより、ＰＤＨデータ列が多重されているＳＴＭ−１フレームの伝送領域を使用しない、ためである。
【００１３】
したがって、本発明の目的は、複数のＰＤＨデータ列を無線フレームにスタッフ多重して伝送する機能とＬＡＮインタフェースの終端機能をもち、ＰＤＨデータ列の伝送領域としてアサインされている無線フレームのペイロードにＬＡＮデータを多重して伝送することが可能な無線伝送装置において、限られた無線伝送容量を有効に活用する無線伝送装置及び方法を提供することにある。
【課題を解決するための手段】
【００１４】
本願で開示される発明は、上記目的を達成するため、概略以下のように構成される。
【００１５】
本発明の１つの側面に係る無線伝送装置は、複数のＰＤＨ（Plesiochronous Digital Hierarchy）データ列を無線フレームにスタッフ多重して伝送する機能と、ＩＥＥＥ８０２．３で標準化されたＬＡＮ（Local Area Network）データのインタフェース終端機能を備え、ＰＤＨデータ列の伝送領域として割り当てられている無線フレームのペイロードに、ＬＡＮデータを多重して伝送することが可能な無線伝送装置において、外部から入力されるＰＤＨデータ列に入力障害が発生したことを検出した場合、該当する無線フレームのペイロード領域を、ＬＡＮデータの伝送領域として利用することにより、限られた無線伝送容量を有効に活用する。
【発明の効果】
【００１６】
本発明によれば、外部から入力されるＰＤＨデータ列に入力障害が発生した場合、入力障害の発生したＰＤＨデータ列を多重している無線フレームのペイロードを、ＬＡＮデータの多重領域に切り替えることにより、無線伝送路におけるＬＡＮデータの伝送容量を拡張することができ、限られた無線伝送容量を有効に利用できる。
【００１７】
また、本発明によれば、無線フレームの各ペイロードに対して多重するＰＤＨデータ列とＬＡＮデータのアサイン（割当て）状況を示すペイロードアサイン情報を伝送することにより、受信側で該アサイン状況を自動的に判断し、ＰＤＨデータ列の出力制御とＬＡＮデータの伝送容量を変更することができる。
【発明を実施するための最良の形態】
【００１８】
本発明の実施の形態について以下に説明する。図１は、本発明の実施の形態の構成を示す図である。図１において、無線伝送装置Ａ、Ｂは、ｎチャネル分（ｎは自然数）のＰＤＨデータ列を互いに送受可能な無線伝送容量を持ち、ＬＡＮデータの伝送インタフェースを備えている。また、ＰＤＨデータ列ｎチャネル分の無線伝送容量に対し、ｍチャネル分（ｍは１からｎの自然数）のＰＤＨデータ列を無線フレームに割り当て、（ｎ−ｍ）チャネル分の伝送容量をＬＡＮデータの伝送領域として割り当てることにより、ＰＤＨデータ列とＬＡＮデータを同時に伝送でき、ＰＤＨデータ列の伝送チャネル数とＬＡＮデータの無線伝送容量を、チャネル単位で、自由に変更できる。
【００１９】
無線伝送装置Ａは、スタッフ回路２−１〜２−ｎにおいて、外部から入力されるＰＤＨデータ列１０１〜１０ｎをスタッフ処理し、無線フレームマッピング回路６で、スタッフ処理された各ＰＤＨデータ列２１１〜２１ｎを無線フレームに多重する。
【００２０】
無線送信回路７は、無線フレームのデータ列を変調後、無線伝送路へ送出する。
【００２１】
無線伝送装置Ｂは、無線伝送路から無線受信回路８経由で受信した無線フレームのデータ列に対して、無線フレーム同期を確立し、無線フレームデマッピング回路９において、ＰＤＨデータ列を各チャネル単位に抽出し、デスタッフ回路１３−１〜１３−ｎでデスタッフ処理を行ってｎチャネル分のＰＤＨデータ列２０１〜２０ｎを出力することによりＰＤＨデータ列の伝送を行う。
【００２２】
ＰＤＨデータ列を多重するペイロードを利用してＬＡＮデータの伝送を行う場合、外部から入力されるペイロードアサイン設定信号５０１により、送信帯域制御回路５において、ＰＤＨデータ列を使用するチャネル数とＬＡＮデータの伝送容量を決定し、ＰＤＨデータ列を多重する無線フレームのペイロードに、チャネル単位で、ＬＡＮデータを割り当てることにより、ＬＡＮデータとＰＤＨデータ列の同時伝送を行う。
【００２３】
さらに、使用しているチャネルのＰＤＨデータ列入力に、入力断等の障害が発生した場合、入力障害の発生したＰＤＨデータ列を多重するペイロードを、ＬＡＮデータの伝送領域に割り当てることにより、ＬＡＮの伝送容量を拡張する。
【００２４】
また、各ペイロードに多重されているデータがＰＤＨデータかＬＡＮデータかを示すペイロードアサイン情報５０３を、無線フレームに多重することにより、各ペイロードへのアサイン状況を、受信側の無線伝送装置Ｂに伝送する。
【００２５】
受信側の無線伝送装置Ｂは、無線フレームに多重されているペイロードアサイン情報を抽出して、各ペイロードに多重されたＰＤＨデータ列、及びＬＡＮデータのアサイン状況を判断し、無線フレームの各ペイロードから、ＰＤＨデータ列とＬＡＮデータを分離する。
【００２６】
無線フレームから抽出した各チャネルのＰＤＨデータ列に対し、デスタッフ回路１３−１〜１３−ｎにおいて、デスタッフ処理を行った後、ＡＩＳ多重回路１４−１〜１４−ｎにおいて、使用しないチャネル及び無線伝送装置Ａの障害検出回路１−１〜１―ｎで入力障害が検出されたチャネルに対して、ＡＩＳ多重処理を行い、ＰＤＨデータ列２０１〜２０ｎとして出力する。
【００２７】
また無線フレームから抽出したＬＡＮデータを送信バッファ１０に蓄え、ＬＡＮ終端回路１１で、ＬＡＮ伝送路網に出力可能なＬＡＮ送信信号に変換した後、ＬＡＮ伝送路２１０へ出力する。
【００２８】
本発明の構成をとらない無線伝送装置（比較例）として、複数のＰＤＨデータ列とＬＡＮデータの伝送インタフェースを持ち、一定の無線伝送容量内で両データを伝送することが可能な従来の無線伝送装置においては、使用しているチャネルのＰＤＨデータ列入力に障害が発生した場合、入力障害の発生したＰＤＨデータ列を多重している無線フレームのペイロードには不要なデータが多重される。
【００２９】
対向側の無線伝送装置では、無線フレームのペイロードに多重された不要なデータ列がＰＤＨデータ列として外部に伝送されるのを防ぐために、ＡＩＳ多重制御を行ってＰＤＨデータ列を出力する。その結果、前記入力障害が発生したチャネルのＰＤＨデータ列を多重したペイロード上のデータ列を出力することがないため、ペイロードは無駄な伝送領域となっていた。
【００３０】
本発明では、使用しているチャネルのＰＤＨデータ列入力の障害を検出した場合、ＰＤＨデータ列を多重している無線フレームのペイロードに、ＬＡＮデータを多重することにより、ＬＡＮデータの無線伝送容量を拡張することができ、限られた無線伝送帯域を有効に利用することが可能となる。以下実施例に即して説明する。
【実施例】
【００３１】
図１は、本発明の一実施例の構成を示す図である。図１において、無線伝装置Ａ、Ｂは、いずれも、ｎチャネル分（ｎは１以上の自然数）のＰＤＨデータ列を互いに送受信可能な無線伝送容量を有し、無線伝送容量を利用してＬＡＮデータを伝送することが可能な無線伝送装置である。図１では、無線伝送装置Ａから無線伝送装置Ｂへの伝送を行う構成を示す。なお、無線伝送装置ＢからＡへの伝送は、ＡからＢへの伝送と同様のため省略する。図１を参照すると、無線伝送装置Ａは、入力ＰＤＨデータ列ｎチャネル分の障害検出回路１−１〜１−ｎとスタッフ回路２−１〜２−ｎを備え、さらにＬＡＮ終端回路３、受信バッファ４、送信帯域制御回路５、無線フレームマッピング回路６、無線送信回路７を備えている。また無線伝送装置Ｂは、無線受信回路８、無線フレームデマッピング回路９、送信バッファ１０、ＬＡＮ終端回路１１、受信帯域制御回路１２、デスタッフ回路１３−１〜１３−ｎ、ＡＩＳ多重回路１４−１〜１４−ｎを備えている。
【００３２】
図１において、スタッフ回路２−１〜２−ｎは、外部から入力されるＰＤＨデータ列１０１〜１０ｎのそれぞれに対して、スタッフ同期処理を行い、スタッフ同期処理後のＰＤＨデータ列２１１〜２１ｎを、無線フレームマッピング回路６へ出力する。
【００３３】
障害検出回路１−１〜１−ｎは、対応する入力ＰＤＨデータ列１０１〜１０ｎの入力断やＡＩＳ等の入力障害をそれぞれ検出し、入力障害情報１１１〜１１ｎを送信帯域制御回路５へ出力する。
【００３４】
送信帯域制御回路５は、外部から入力されるペイロードアサイン設定信号５０１と、障害検出回路１−１〜１−ｎからのＰＤＨデータ列の入力障害情報１１１〜１１ｎに従い、無線フレームのペイロードに対するＰＤＨデータ列とＬＡＮデータの割り当てを決定し、ＬＡＮデータ読み出し制御信号５０２と、ペイロードアサイン情報５０３とを出力する。
【００３５】
ＬＡＮ終端回路３は、ＬＡＮ伝送路１１０から入力されるＬＡＮ受信データをパケット単位で独自フレームにカプセル化し、受信バッファ４に出力する。
【００３６】
受信バッファ４に蓄えられたＬＡＮデータは、送信帯域制御回路５から入力されるＬＡＮデータ読み出し制御信号５０２に従い読み出され、無線フレームマッピング回路６へ出力される。
【００３７】
無線フレームマッピング回路６は、送信帯域制御回路５から入力されるペイロードアサイン情報５０３に従い、スタッフ回路２−１〜２−ｎから入力されるスタッフ同期処理後の各ＰＤＨデータ列２１１〜２１ｎと、ＬＡＮデータ読み出し制御信号５０２により、受信バッファ４から読み出したＬＡＮデータを無線フレームに多重する。
【００３８】
さらに、ペイロードアサイン情報５０３を無線フレームに多重して無線送信回路７へ無線フレームデータを出力する。
【００３９】
無線送信回路７は、無線フレームマッピング回路６から入力される無線フレームデータを変調後、対向の無線伝送装置Ｂに伝送する。
【００４０】
次に、受信側の構成を無線伝送装置Ｂで説明する。
【００４１】
無線伝送装置Ａから無線伝送路を介して入力された無線フレームデータは、無線受信回路８において復調され、無線フレーム同期確立後、無線フレームデマッピンング回路９へ出力される。
【００４２】
受信帯域制御回路１２は、無線フレームに多重されているペイロードアサイン情報９１１に基づき、ＬＡＮデータのデマッピング制御信号１２１１と各ＰＤＨデータ列に対するＡＩＳ多重制御信号１２０１〜１２０ｎを出力する。
【００４３】
無線フレームデマッピング回路９は、無線フレームに多重されているペイロードアサイン情報に従い、各ペイロードに多重されているＰＤＨデータ列を抽出して、デスタッフ回路１３−１〜１３−ｎへ出力する。
【００４４】
また、ＬＡＮデータのデマッピング制御信号１２１１に従い、ＬＡＮデータが多重されているペイロードからＬＡＮデータを抽出して、送信バッファ１０に出力する。
【００４５】
デスタッフ回路１３−１〜１３−ｎは、無線フレームのペイロードから抽出されたＰＤＨデータ列９０１〜９０ｎに対してデスタッフ処理を行い、ＡＩＳ多重回路１４−１〜１４−ｎへ出力する。
【００４６】
ＡＩＳ多重回路１４−１〜１４−ｎは、受信帯域制御回路１２から入力されるＡＩＳ多重制御信号１２０１〜１２０ｎに従い、使用していないチャネル及び障害の発生しているチャネルのＰＤＨデータ列に対して、ＡＩＳ多重制御を行って、ＰＤＨデータ列２０１〜２０ｎを出力する。
【００４７】
また、送信バッファ１０ではカプセル化されたＬＡＮデータをパケット単位でバッファに蓄えた後、ＬＡＮ終端回路１１において、ＬＡＮ伝送路網に出力可能なＬＡＮ送信信号に変換してＬＡＮ伝送路２１０へ出力する。
【００４８】
次に、本実施例の無線伝送装置の動作について説明する。無線伝送装置Ａ、Ｂは、ｎチャネル分のＰＤＨデータ列を互いに送受可能な無線伝送容量を持ち、且つ、ＬＡＮデータの伝送インタフェースを備えている。また、ＰＤＨデータ列ｎチャネル分の無線伝送容量に対し、ｍチャネル分（ｍは１からｎの自然数）のＰＤＨデータ列を無線フレームに割り当て（ｎ−ｍ）チャネル分の伝送容量を、ＬＡＮデータの伝送領域として、割り当てることにより、ＰＤＨデータ列とＬＡＮデータを同時に伝送でき、且つ、ＰＤＨデータ列の伝送チャネル数とＬＡＮデータの無線伝送容量をチャネル単位で自由に変更できる無線伝送装置である。
【００４９】
まず、ＰＤＨデータ列の伝送のみでＬＡＮデータ伝送を行わない場合について説明する。
【００５０】
無線伝送装置Ａは、外部から入力される各チャネルのＰＤＨデータ列１０１〜１０ｎを各スタッフ回路２−１〜２−ｎにおいてスタッフ処理した後、無線フレームマッピング回路６においてスタッフ処理後のＰＤＨデータ列２１１〜２１ｎを、無線フレームの各チャネルのペイロードに多重して無線フレームデータを生成し、無線送信回路７を介して対向の無線伝送装置Ｂへ送出する。
【００５１】
無線伝送装置Ｂは、無線伝送路から無線受信回路８を介して受信した無線フレームデータに対して無線フレーム同期を確立し、無線フレームデマッピング回路９においてＰＤＨデータ列を各チャネル単位に抽出し、デスタッフ回路１３−１〜１３−ｎでデスタッフ処理を行って、ｎチャネル分のＰＤＨデータ列２０１〜２０ｎを出力することにより、ＰＤＨデータ列の伝送を行う。
【００５２】
次に、ＰＤＨデータ列の伝送帯域を利用して、ＬＡＮデータの伝送を行う場合について説明する。
【００５３】
図２に、ｎ＝８チャネル分のＰＤＨデータ列を伝送可能な無線伝送装置（図２（Ａ）の無線フレームのペイドード１〜８参照）において、４チャネル分のＰＤＨデータ列とＬＡＮデータを伝送する場合の例を示す。まず、外部から入力されるペイロードアサイン設定信号５０１により、無線フレームのペイロード１〜４には、それぞれチャネル１〜４のＰＤＨデータ列入力をアサインし、ペイロード５〜８には、ＬＡＮデータをアサインする（図２（Ｂ））。
【００５４】
図２（Ｂ）に示す例の設定において、チャネル４のＰＤＨデータ列１０４に、入力断やＡＩＳ等入力障害が発生した場合、ペイロード４には、障害が発生した状態の不要なデータが多重される。
【００５５】
対向側の無線伝送装置Ｂでは、不要なデータがチャネル４のＰＤＨデータ列として外部に出力されるのを防ぐために、ＡＩＳ多重制御を行って、ＰＤＨデータ列を出力する。
【００５６】
よって、ペイロード４に多重されているデータ列は使用されず、ペイロード４は無駄な伝送領域となる。
【００５７】
そこで、チャネル４のＰＤＨデータ列１０４に対する障害検出回路１−４において、ＰＤＨデータ列１０４の入力障害を検出した場合、ペイロード４のデータをＬＡＮデータとしてアサインすると共に、ペイロードアサイン情報５０３（図１参照）を更新して、ＬＡＮデータの伝送容量を拡大する（図２（Ｃ））。
【００５８】
また、チャネル４のＰＤＨデータ入力の障害が回復した場合、ペイロード４にアサインされていたＬＡＮデータを、チャネル４のＰＤＨデータ列に切り替え、ペイロードアサイン情報を更新することにより、チャネル４のＰＤＨデータ列多重を再開する。
【００５９】
ペイロードアサイン情報５０３は、各々のペイロードに多重されているデータがＰＤＨデータ列か、ＬＡＮデータかを示す情報であり、無線フレームに多重することで、各ペイロードへのＰＤＨデータ列、及びＬＡＮデータのアサイン状況を伝送する。
【００６０】
送信帯域制御回路５は、使用するチャネルのＰＤＨデータ列、及びＬＡＮデータの帯域を割り当てるペイロードアサイン制御信号５０１と、使用するチャネルのＰＤＨデータ列の障害検出回路１−１〜１−ｎにおいて検出された入力障害情報１１１〜１１ｎからＬＡＮデータを多重可能なペイロードを決定し、ＬＡＮデータが格納されている受信バッファ４に対して指定したペイロードへＬＡＮデータを多重するための読み出し制御信号５０２を出力する。
【００６１】
また、各々のペイロードに多重しているデータ列のアサイン状況をペイロードアサイン情報５０３として、無線フレームマッピング回路６に出力し、無線フレームに多重して対向の無線伝送装置Ｂへ伝送する。
【００６２】
次に受信側の動作について無線伝送装置Ｂで説明する。
【００６３】
無線フレームデマッピング回路９において、無線フレームに多重されているペイロードアサイン情報９１１を抽出し、受信帯域制御回路１２において、各ペイロードに多重されているＰＤＨデータ列とＬＡＮデータのアサイン状況を判断して、ペイロードに多重されているＬＡＮデータのデマッピング制御信号１２１１と各ＰＤＨデータ列出力のＡＩＳ多重制御信号１２０１〜１２０ｎを出力する。
【００６４】
無線フレームデマッピング回路９は、ＬＡＮデータのデマッピング制御信号１２１１に従い、ＬＡＮデータのみを抽出し、送信バッファ１０へ送出する。
【００６５】
送信バッファ１０では、カプセル化されたＬＡＮデータをパケット単位でバッファに蓄え、ＬＡＮ終端回路１１においてＬＡＮ伝送路網に出力可能なＬＡＮ送信信号に変換した後、ＬＡＮ伝送路２１０へ出力する。
【００６６】
また、無線フレームに多重されているＰＤＨデータ列に対し、対応するチャネルのデスタッフ回路１３−１〜１３−ｎにおいて、各々デスタッフ処理を行ってＰＤＨデータ列２０１〜２０ｎとして出力する。
【００６７】
ＰＤＨデータ列２０１〜２０ｎの出力において、ペイロードアサイン情報９１１に基づきＰＤＨデータ列の伝送として使用されていないチャネル（図２の例の場合チャネル５〜８）及び入力障害により正常に伝送できないチャネル（図２−Ｃの例の場合チャネル４）に対して、ＡＩＳ多重制御を行うことにより、ＰＤＨデータ列の出力側に不要なデータが送出されるのを防ぐ。
【００６８】
ペイロードアサイン情報９１１により、入力障害が復帰したと判断した場合、ＡＩＳ多重制御を解除することにより、該当するＰＤＨデータ列の伝送を再開する。
【００６９】
以上説明したように、本実施例においては、以下に記載するような作用効果を奏する。
【００７０】
第１の効果は、外部から入力されるＰＤＨデータ列に入力障害が発生した場合、前記入力障害の発生したＰＤＨデータ列を多重している無線フレームのペイロードをＬＡＮデータの多重領域に切り替えることにより、無線伝送路におけるＬＡＮデータの伝送容量を拡張することができ、限られた無線伝送容量を有効に利用できる、ということである。
【００７１】
第２の効果は、無線フレームの各ペイロードに対して多重するＰＤＨデータ列とＬＡＮデータのアサイン状況を示すペイロードアサイン情報を伝送することにより、受信側でアサイン状況を自動的に判断し、ＰＤＨデータ列の出力制御とＬＡＮデータの伝送容量の変更ができる、ということである。
【００７２】
本発明は、ＳＤＨフレーム構成で低次群の信号列とＬＡＮデータを混在伝送可能な無線伝送装置においても、適用可能である。
【００７３】
入力障害の発生したチャネルの低次群信号列が多重されているＳＤＨフレームのペイロードをＬＡＮデータの伝送領域とすることで、無線伝送路におけるＬＡＮデータの伝送容量を拡張することができ、限られた無線伝送容量を有効に利用できる。
【００７４】
また、本発明においてＰＤＨデータ列の伝送領域を利用して伝送するデータ列は、ＩＥＥＥ８０２．３準拠のＬＡＮデータ信号列に限らず、バーストデータ信号列に対しても適用可能である。以上本発明を上記実施例に即して説明したが、本発明は、上記実施例の構成に限定されるものでなく、本発明の範囲内で当業者であればなし得るであろう各種変形、修正を含むことは勿論である。
【図面の簡単な説明】
【００７５】
【図１】本発明の一実施例の構成を示す図である。
【図２】（Ａ）乃至（Ｃ）は本発明の一実施例におけるペイロードアサインの一例を示す図である。
【図３】従来の無線伝送装置の構成例を示す図である。
【符号の説明】
【００７６】
１−１〜１−ｎ  障害検出回路
２−１、…２−ｎ  スタッフ回路
３  ＬＡＮ終端回路
４  受信バッファ
５  送信帯域制御回路
６  無線フレームマッピング回路
７  無線送信回路
８  無線受信回路
９  無線フレームデマッピング回路
１０  送信バッファ
１１  ＬＡＮ終端回路
１２  受信帯域制御回路
１３−１〜１３−ｎ  デスタッフ回路
１４−１〜１４−ｎ  ＡＩＳ多重回路
１０１〜１０ｎ  入力ＰＤＨデータ列
１１０  ＬＡＮ伝送路
１１１〜１１ｎ  入力障害情報
２０１〜２０ｎ  ＰＤＨデータ列
２１１〜２１ｎ  ＰＤＨデータ列
２１０  ＬＡＮ伝送路
３０１  基幹伝送路
３０２  共通部
３０３  バーストデータ系ラインセット部
３０４  スタッフ同期回路
３０５  ＰＣ−ＬＡＮ
３０６  デジタルハイアラーキの低次群／高次群のデータ系
５０１  ペイロードアサイン設定信号
５０２  ＬＡＮデータ読み出し制御信号
５０３  ペイロードアサイン情報
９０１〜９０ｎ  ＰＤＨデータ列
９１１  ペイロードアサイン情報
１２０１〜１２０ｎ  ＡＩＳ多重制御信号
１２１１  デマッピング制御信号
【図１】
2006203439.tif 000003
【図２】
2006203439.tif 000004
【図３】
2006203439.tif 000005